(57)【要約】【課題】表示面と同一面にレンズを備える携帯電子機器であって、被写体を十分な輝度の下、撮影できる携帯電子機器を提供する。【解決手段】携帯電子機器は、表示パネルと、表示パネルと同一面に配置されたレンズを含む撮像部と、表示パネルの表示面の背面に設けられた第１の光源及び第２の光源と、撮像部による被写体の撮影の際に、第１の光源に対応する表示パネル上の第１の表示領域に被写体の画像を表示させると共に、第２の光源の輝度を第１の光源の輝度よりも高くする制御部と、を備える。【選択図】図１
2013247668.tif 000002
【特許請求の範囲】
【請求項１】
表示パネルと、
前記表示パネルと同一面に配置されたレンズを含む撮像部と、
前記表示パネルの表示面の背面に設けられた第１及び第２の光源と、
前記撮像部による被写体の撮影の際に、前記第１の光源に対応する前記表示パネル上の第１の表示領域に前記被写体の画像を表示させると共に、前記第２の光源の輝度を前記第１の光源の輝度よりも高くする制御部と、
を備えることを特徴する携帯電子機器。
【請求項２】
前記制御部は、前記被写体の撮影の際に、前記第２の光源に対応する前記表示パネル上の第２の表示領域の透過率を、前記被写体の撮影の前の透過率よりも上昇させる請求項１の携帯電子機器。
【請求項３】
前記表示パネルの表示面の背面に設けられた第３の光源を備え、
前記第１の光源は、前記第２及び第３の光源の間に配置され、
前記制御部は、前記被写体の撮影の際に、前記第３の光源の輝度を前記第１の光源の輝度よりも高くする請求項１又は２の携帯電子機器。
【請求項４】
前記第１及び第２の光源の発行色は可変であり、
前記制御部は、ユーザに対して通知すべき内部状態の変化を検出した際に、前記第１の表示領域に通知すべき情報を表示させると共に、前記第２の光源の発行色を変化させる請求項１乃至３のいずれか一に記載の携帯電子機器。
【請求項５】
表示パネルと、
前記表示パネルと同一面に配置されたレンズを含む撮像部と、
前記表示パネルの表示面の背面に設けられた第１及び第２の光源と、
を備える携帯電子機器の制御方法であって、
前記撮像部による被写体の撮影の際に、前記第１の光源に対応する前記表示パネル上の第１の表示領域に前記被写体の画像を表示させる第１の工程と、
前記第２の光源の輝度を前記第１の光源の輝度よりも高くする第２の工程と、
を含むことを特徴する携帯電子機器の制御方法。
【請求項６】
前記第２の工程は、前記被写体の撮影の際に、前記第２の光源に対応する前記表示パネル上の第２の表示領域の透過率を、前記被写体の撮影の前の透過率よりも上昇させる請求項５の携帯電子機器の制御方法。
【請求項７】
前記第１及び第２の光源の発行色は可変であり、
ユーザに対して通知すべき内部状態の変化を検出した際に、前記第１の表示領域に通知すべき情報を表示させる第３の工程と、
前記第２の光源の発行色を変化させる第４の工程と、
を含む請求項５又は６の携帯電子機器の制御方法。
【請求項８】
表示パネルと、
前記表示パネルと同一面に配置されたレンズを含む撮像部と、
前記表示パネルの表示面の背面に設けられた第１及び第２の光源と、
を備える携帯電子機器を制御するコンピュータに実行させるプログラムであって、
前記撮像部による被写体の撮影の際に、前記第１の光源に対応する前記表示パネル上の第１の表示領域に前記被写体の画像を表示させる第１の処理と、
前記第２の光源の輝度を前記第１の光源の輝度よりも高くする第２の処理と、
を実行するプログラム。
【請求項９】
前記第２の処理は、前記被写体の撮影の際に、前記第２の光源に対応する前記表示パネル上の第２の表示領域の透過率を、前記被写体の撮影の前の透過率よりも上昇させる請求項８のプログラム。
【請求項１０】
前記第１及び第２の光源の発行色は可変であり、
ユーザに対して通知すべき内部状態の変化を検出した際に、前記第１の表示領域に通知すべき情報を表示させる第３の処理と、
前記第２の光源の発行色を変化させる第４の処理と、
を実行する請求項８又は９のプログラム。
【発明の詳細な説明】
【技術分野】
【０００１】
本発明は、携帯電子機器、その制御方法及びプログラムに関する。特に、カメラ機能を備える携帯電子機器、その制御方法及びプログラムに関する。
【背景技術】
【０００２】
近年、携帯電話、スマートフォン、ＰＨＳ（Ｐｅｒｓｏｎａｌ  Ｈａｎｄｙｐｈｏｎｅ  Ｓｙｓｔｅｍ）、携帯オーディオ機器、ＰＤＡ（Ｐｅｒｓｏｎａｌ  Ｄｉｇｉｔａｌ  Ａｓｓｉｓｔａｎｔ）等の携帯電子機器において、カメラ機能を備える機器が存在する。そのような機器には、表示面と同一面にレンズを備え、ユーザ自身を撮影可能な機器が存在する。
【０００３】
特許文献１において、カメラの光学特性を容易に変化させることができる携帯電子機器が開示されている。また、特許文献２において、操作キーや液晶パネルのバックライトを着信報知に兼用する携帯電話が開示されている。さらに、特許文献３において、発光ダイオード（ＬＥＤ；Ｌｉｇｈｔ  Ｅｍｉｔｔｉｎｇ  Ｄｉｏｄｅ）を着信報知とカメラ機能のフラッシュの兼用を行う画像撮像装置が開示されている。
【先行技術文献】
【特許文献】
【０００４】
【特許文献１】特開２００３−１１０８９５号公報
【特許文献２】特開２００４−２４８３１９号公報
【特許文献３】特開２００５−１０２０００号公報
【発明の概要】
【発明が解決しようとする課題】
【０００５】
なお、上記先行技術文献の各開示を、本書に引用をもって繰り込むものとする。以下の分析は、本発明者らによってなされたものである。
【０００６】
カメラ機能は、様々な明るさの状況下で使用される。そのため、表示面の背面にレンズを備える種類の携帯電子機器は、携帯電子機器のユーザ以外の人物を撮影する、又は、風景を撮影するといった用途から十分な輝度を持つフラッシュ機能を備えることが多い。
【０００７】
一方、表示面と同一面にレンズを備え、ユーザ自身を撮影するカメラ機能は、表示面の背面にレンズを持つカメラ機能を補助するという側面が強く、このようなカメラ機能に特化した光源を設けることは、スペースを確保するという観点から困難な場合が多い。あるいは、フラッシュ機能を搭載するとしても、小型のモジュールを採用するに留まる。その結果、表示面と同一面にレンズを備える携帯電子機器では、暗所における撮影ができない、又は、撮影した画像が暗いといった問題が起きる。そのため、表示面と同一面にレンズを備える携帯電子機器であって、被写体を十分な輝度の下、撮影できる携帯電子機器が望まれる。
【課題を解決するための手段】
【０００８】
本発明の第１の視点によれば、表示パネルと、前記表示パネルと同一面に配置されたレンズを含む撮像部と、前記表示パネルの表示面の背面に設けられた第１及び第２の光源と、前記撮像部による被写体の撮影の際に、前記第１の光源に対応する前記表示パネル上の第１の表示領域に前記被写体の画像を表示させると共に、前記第２の光源の輝度を前記第１の光源の輝度よりも高くする制御部と、を備える携帯電子機器が提供される。
【０００９】
本発明の第２の視点によれば、表示パネルと、前記表示パネルと同一面に配置されたレンズを含む撮像部と、前記表示パネルの表示面の背面に設けられた第１及び第２の光源と、を備える携帯電子機器の制御方法であって、前記撮像部による被写体の撮影の際に、前記第１の光源に対応する前記表示パネル上の第１の表示領域に前記被写体の画像を表示させる第１の工程と、前記第２の光源の輝度を前記第１の光源の輝度よりも高くする第２の工程と、を含む携帯電子機器の制御方法が提供される。
【００１０】
本発明の第３の視点によれば、表示パネルと、前記表示パネルと同一面に配置されたレンズを含む撮像部と、前記表示パネルの表示面の背面に設けられた第１及び第２の光源と、を備える携帯電子機器を制御するコンピュータに実行させるプログラムであって、前記撮像部による被写体の撮影の際に、前記第１の光源に対応する前記表示パネル上の第１の表示領域に前記被写体の画像を表示させる第１の処理と、前記第２の光源の輝度を前記第１の光源の輝度よりも高くする第２の処理と、を実行するプログラムが提供される。
なお、このプログラムは、コンピュータが読み取り可能な記憶媒体に記録することができる。記憶媒体は、半導体メモリ、ハードディスク、磁気記録媒体、光記録媒体等の非トランジェント（ｎｏｎ−ｔｒａｎｓｉｅｎｔ）なものとすることができる。本発明は、コンピュータプログラム製品として具現することも可能である。
【発明の効果】
【００１１】
本発明の各視点によれば、表示面と同一面にレンズを備える携帯電子機器であって、被写体を十分な輝度の下、撮影できる携帯電子機器、その制御方法及びプログラムが、提供される。
【図面の簡単な説明】
【００１２】
【図１】一実施形態の概要を説明するための図である。
【図２】第１の実施形態に係る携帯電子機器１の外観の一例を示す図である。
【図３】携帯電子機器１の内部構成の一例を示す図である。
【図４】表示部５０の内部構成の一例を示す斜視図である。
【図５】表示部５０の正面図の一例を示す図である。
【図６】携帯電子機器１の動作の一例を示すフローチャートである。
【図７】ユーザが携帯電子機器１を使用する際の一例を示す図である。
【図８】表示部５０の正面図の一例を示す図である。
【発明を実施するための形態】
【００１３】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１４】
上述のように、ユーザ自身を撮影するカメラ機能に特化した光源を設けることは、そのスペースを確保するという観点から問題がある。その結果、表示面と同一面にレンズを備える携帯電子機器では、暗所における撮影ができない、又は、撮影した画像が暗いといった問題が起きる。そのため、表示面と同一面にレンズを備える携帯電子機器であって、被写体を十分な輝度の下、撮影できる携帯電子機器が望まれる。
【００１５】
そこで、一例として図１に示す携帯電子機器１００を提供する。携帯電子機器１００は、表示パネル１０１と、表示パネル１０１と同一面に配置されたレンズを含む撮像部１０２と、表示パネル１０１の表示面の背面に設けられた第１の光源１０３及び第２の光源１０４と、撮像部１０２による被写体の撮影の際に、第１の光源１０３に対応する表示パネル１０１上の第１の表示領域に被写体の画像を表示させると共に、第２の光源１０４の輝度を第１の光源１０３の輝度よりも高くする制御部１０５と、を備える。
【００１６】
携帯電子機器１００は、撮像部１０２を用いて、被写体（多くの場合、ユーザ自身）の撮影を行う際に、第２の光源を被写体に対するライトとして使用する。その際、制御部１０５は、第２の光源の輝度を表示パネル１０１のバックライトとして使用する場合と比較して高くすることで、被写体を明るく照らす。その結果、撮像部１０２を使用してユーザの被写体を撮影する際に、被写体を明るく照らすことができるため、十分な輝度の下、被写体を撮影できる携帯電子機器１００が提供できる。
【００１７】
また、第２の光源は、通常、表示パネル１０１のバックライトとして使用するものであるため、新たに追加する部品ではない。即ち、撮像部１０２を使用してユーザの自画像を撮影する際に、被写体であるユーザを明るく照らすために携帯電子機器１００が大きくなることはない。
【００１８】
さらに、下記の形態が可能である。
【００１９】
［形態１］
上記第１の視点に係る携帯電子機器のとおりである。
［形態２］
前記制御部は、前記被写体の撮影の際に、前記第２の光源に対応する前記表示パネル上の第２の表示領域の透過率を、前記被写体の撮影の前の透過率よりも上昇させることが好ましい。
［形態３］
前記携帯電子機器は、前記表示パネルの表示面の背面に設けられた第３の光源を備え、前記第１の光源は、前記第２及び第３の光源の間に配置され、前記制御部は、前記被写体の撮影の際に、前記第３の光源の輝度を前記第１の光源の輝度よりも高くすることが好ましい。
［形態４］
前記第１及び第２の光源の発行色は可変であり、前記制御部は、ユーザに対して通知すべき内部状態の変化を検出した際に、前記第１の表示領域に通知すべき情報を表示させると共に、前記第２の光源の発行色を変化させることが好ましい。
［形態５］
上記第２の視点に係る携帯電子機器の制御方法のとおりである。
［形態６］
前記第２の工程は、前記被写体の撮影の際に、前記第２の光源に対応する前記表示パネル上の第２の表示領域の透過率を、前記被写体の撮影の前の透過率よりも上昇させることが好ましい。
［形態７］
前記第１及び第２の光源の発行色は可変であり、ユーザに対して通知すべき内部状態の変化を検出した際に、前記第１の表示領域に通知すべき情報を表示させる第３の工程と、前記第２の光源の発行色を変化させる第４の工程と、を含むことが好ましい。
［形態８］
上記第３の視点に係るプログラムのとおりである。
［形態９］
前記第２の処理は、前記被写体の撮影の際に、前記第２の光源に対応する前記表示パネル上の第２の表示領域の透過率を、前記被写体の撮影の前の透過率よりも上昇させることが好ましい。
［形態１０］
前記第１及び第２の光源の発行色は可変であり、ユーザに対して通知すべき内部状態の変化を検出した際に、前記第１の表示領域に通知すべき情報を表示させる第３の処理と、前記第２の光源の発行色を変化させる第４の処理と、を実行することが好ましい。
【００２０】
以下に具体的な実施の形態について、図面を参照してさらに詳しく説明する。
【００２１】
［第１の実施形態］
第１の実施形態について、図面を用いてより詳細に説明する。
【００２２】
図２は、本実施形態に係る携帯電子機器１の外観の一例を示す図である。
【００２３】
携帯電子機器１は、表示パネル１０と、操作部２０と、スピーカ３０と、レンズ４０と、を備えている。
【００２４】
表示パネル１０は、液晶パネル等のバックライトを必要とする表示パネルである。操作部２０は、ユーザによる携帯電子機器１の操作を受け付ける。なお、操作部２０は、図２に示すようにハードウェアキーであってもよいし、表示パネル１０と一体化したタッチパネル等の入力手段であってもよい。スピーカ３０は、携帯電子機器１が発する音を出力する。例えば、呼び出し音や受話音声を出力する。レンズ４０は、表示パネル１０と同一面に配置され、表示パネル１０と相対する被写体を撮影できる。
【００２５】
図３は、携帯電子機器１の内部構成の一例を示す図である。
【００２６】
携帯電子機器１は、表示部５０と、操作部２０と、スピーカ３０と、オーディオ部３１と、撮像部６０と、記憶部７０と、制御部８０と、を含んで構成される。
【００２７】
表示部５０は、表示パネル１０と、表示パネル１０の光源となるバックライト５１と、を含んでいる。
【００２８】
オーディオ部３１は、呼び出し音やアラーム音、受話音声等の音声信号を増幅し、スピーカ３０に出力する。
【００２９】
撮像部６０は、レンズ４０を含むカメラモジュールである。撮像部６０には、撮像素子（図示せず）やレンズを移動するアクチュエータ（図示せず）等が含まれ、画像信号の取得が可能である。取得した画像信号は、記憶部７０に保存される。
【００３０】
記憶部７０は、携帯電子機器１を制御するプログラムや、携帯電子機器１の動作に必要な情報を記憶する。
【００３１】
制御部８０は、携帯電子機器１の各部（例えば、操作部２０等）を制御し、携帯電子機器１に求められる機能を実現する。
【００３２】
次に、表示部５０について説明する。
【００３３】
図４は、表示部５０の内部構成の一例を示す斜視図である。図５は、表示部５０の正面図の一例を示す図である。
【００３４】
図４に示すように、表示パネル１０のバックライト５１は、左側バックライト５２と、中央バックライト５３と、右側バックライト５４と、に３分割されている。左側バックライト５２及び右側バックライト５４は、表示パネル１０の両端に相当する領域（図５の左側領域６０１及び右側領域６０２）の光源として機能する。一方、中央バックライト５３は、表示パネル１０の中央に位置する領域（図５の中央領域６０３）の光源として機能する。各バックライトには、発光ダイオードが備え付けられており、導光板５５〜５７を光らせる。なお、各発光ダイオードの発光色は白とする。なお、中央バックライト５３が上述の第１の光源１０３に相当し、左側バックライト５２又は右側バックライト５４が上述の第２の光源１０４に相当する。
【００３５】
左側バックライト５２には、上下の両端に発光ダイオード５０１及び５０２が配置されている（２方向から照光する）。右側バックライト５４についても同様である。一方、中央バックライト５３には、下端に限り発光ダイオード５０５を配置している（１方向から照光する）。ここで、各バックライトの発光ダイオードを表示パネル１０の光源として使用する場合には、下端の発光ダイオード５０２、５０４及び５０５を使用すれば十分な輝度が確保できるように設計する。即ち、表示パネル１０に画像を表示する場合には、各バックライトが備える発光ダイオードを全て使用する必要はない。一方、発光ダイオード５０１及び５０３については、可能な限り高光量かつ高輝度な発光ダイオードを採用する。後述するように、発光ダイオード５０１及び５０３を撮像部６０のライトとして使用するためである。
【００３６】
また、各バックライトの発光ダイオードは、制御部８０から点灯及び消灯が制御可能に構成されている。即ち、制御部８０は、携帯電子機器１の動作状態に応じて、各バックライトの発光ダイオードの点灯を制御可能である。より具体的には、表示パネル１０の全面を使用して、画像を表示する場合には、各バックライトの下端の発光ダイオード５０２、５０４及び５０５を点灯し、表示パネル１０における通常のバックライトとして使用する。一方、後述するように、撮像部６０を動作させる場合には、全ての発光ダイオードを点灯する。
【００３７】
次に、携帯電子機器１の動作について説明する。
【００３８】
図６は、携帯電子機器１の動作の一例を示すフローチャートである。
【００３９】
ステップＳ０１において、制御部８０は、撮像部６０が起動しているか否かを判断する。制御部８０は、撮像部６０が起動していなければ（ステップＳ０１、Ｎｏ分岐）、表示パネル１０の全面を使用（ステップＳ０２）し、各バックライトの輝度も通常の設定とする（ステップＳ０３）。つまり、制御部８０は、撮像部６０が起動していなければ、各バックライトの下端の発光ダイオード５０２、５０４及び５０５を点灯する。
【００４０】
一方、制御部８０は、撮像部６０が起動していれば（ステップＳ０１、Ｙｅｓ分岐）、表示パネル１０の表示領域を中央領域６０３に制限（ステップＳ０４）すると共に、左側バックライト５２及び右側バックライト５４を被写体（多くの場合、携帯電子機器１を使用するユーザ）に対するライトとして動作させる（ステップＳ０５）。より具体的には、制御部８０は、ステップＳ０４において、表示パネル１０の中央領域６０３に相当する画像信号を表示部５０に供給すると共に、中央領域６０３には通常の画像が表示させるように表示パネル１０のドライバ（図示せず）の設定を行う。
【００４１】
さらに、制御部８０は、ステップＳ０５において、表示パネル１０の両端の領域（左側領域６０１及び右側領域６０２）の透過率を最大に設定すると共に、左側バックライト５２及び右側バックライト５４の発光ダイオード５０１、５０２、５０３及び５０４を点灯する。すると、左側バックライト５２及び右側バックライト５４を表示パネル１０のバックライトとして使用する場合と比較して、輝度の高い光が左側領域６０１及び右側領域６０２のそれぞれから独立して照射されることになる。その結果、自らを撮影しようとするユーザに対し十分な輝度の光が当てられ、暗所においても自身を撮影することができる。
【００４２】
図７は、ユーザが携帯電子機器１を使用する際の一例を示す図である。図７において、点線で囲まれる領域が発光ダイオードによる照光範囲であり、一点鎖線が撮影可能な範囲を明示している。携帯電子機器１を使用するユーザは、被写体である自身の姿を中央領域６０３で確認しつつ、左側バックライト５２及び右側バックライト５４が発する光に照らされ、明るい画像を撮影することができる。その際、左側バックライト５２及び右側バックライト５４の両端の発光ダイオード５０１、５０２、５０３及び５０４を点灯するため、携帯電子機器１の上下左右の各方向から光が照射され、広範囲に照らされる。
【００４３】
このように、本実施形態に係る携帯電子機器１では、表示パネル１０のバックライトを分割する。さらに、表示パネル１０と同一面に配置されたレンズ４０を用いて自身を撮影する際に、バックライトの役割を通常のバックライトと被写体を照らすライトに振り分けている。その結果、表示パネル１０と同一面に配置されたレンズ４０に対応した専用の光源を設ける必要がなくなり、携帯電子機器１の大きさが増加することもない。
【００４４】
［第２の実施形態］
続いて、第２の実施形態について図面を参照して詳細に説明する。
【００４５】
近年の携帯電子機器は、通信機能を初めとした数多くの機能が実現可能である。そのため、各機能の使用状態をユーザに通知する必要がある。その際の手段として、携帯電子機器の一部を様々な色を用いて光らせる方法が用いられる（以下、イルミネーション機能による使用状態の通知とする）。しかし、携帯電子機器が備える表示面は可能な限り大きな方が、ユーザの利便性を高めるため、大きな面積を必要とするイルミネーション機能の実現は制限されてきた。
【００４６】
そこで、本実施形態に係る携帯電子機器２では、表示パネル１０の両端の領域（左側領域６０１及び右側領域６０２）を用いてイルミネーション機能を実現する。なお、携帯電子機器２の外観は、携帯電子機器１と相違する点はないので、図２に相当する説明は省略する。また、内部構成についても、図３を用いて行った説明と相違する点はないので、さらなる説明を省略する。
【００４７】
携帯電子機器１及び２の構成上の相違点は、各バックライトが備える発光ダイオードを白色の発光ダイオードから３色（ＲＧＢ；Ｒｅｄ、Ｇｒｅｅｎ、Ｂｌｕｅ）の発光ダイオードに変更する点である。より具体的には、各発光ダイオードのそれぞれについて、赤、緑、青の３色の発光ダイオードを１つのパッケージにしたものを使用する。さらに、制御部８０ａは、各発光ダイオードの発光色を変更可能に構成されている。例えば、表示パネル１０に画像を表示する際には、各発光ダイオードの発光色を白に設定する。あるいは、白色以外の任意の色で発色させることも可能である。
【００４８】
図８は、表示部５０の正面図の一例を示す図である。図８において図５と同一構成要素には、同一の符号を表し、その説明を省略する。
【００４９】
図８を用いて、携帯電子機器２の動作について説明する。
【００５０】
ユーザが、携帯電子機器２を通常使用する場合には、制御部８０ａは、表示パネル１０の全面を使用して画像を表示させる（第１の実施形態に係る携帯電子機器１と同様）。ユーザが、携帯電子機器２を使用して、自身を撮影する場合には、制御部８０ａは、表示パネル１０の表示領域を制限すると共に、左側バックライト５２及び右側バックライト５４をライトとして使用する。その際、制御部８０ａは、白色の光を照射するように各バックライトの発光ダイオードを制御する。
【００５１】
携帯電子機器２の内部状態が変化し、ユーザにその旨を通知する必要がある場合には、制御部８０ａは、左側領域６０１及び右側領域６０２を使用してイルミネーション機能を実現する。より具体的には、制御部８０ａは、音声の着信やメールの着信等により、イルミネーション機能を使用する必要があると判断した場合には、表示パネル１０の表示領域を中央領域６０３に制限する。同時に、制御部８０ａは、表示パネル１０の左側領域６０１及び右側領域６０２に相当する領域の透過率を高く設定し、左側バックライト５２及び右側バックライト５４の各発光ダイオードを任意の色に設定する。
【００５２】
その結果、表示パネル１０の領域のうち、相当程度大きい左側領域６０１と右側領域６０２を使用してイルミネーション機能を実現できるため、ユーザは携帯電子機器２の内部状態の変化を容易に把握することができる。さらに、イルミネーション機能を実現するために追加する部品等は必要ないため、携帯電子機器２の大きさ及びコストを上昇させること無く、利便性が高い携帯電子機器を提供できる。
【００５３】
なお、引用した上記の特許文献等の各開示は、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施形態ないし実施例の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。
【符号の説明】
【００５４】
１、２、１００  携帯電子機器
１０、１０１  表示パネル
２０  操作部
３０  スピーカ
３１  オーディオ部
４０  レンズ
５０  表示部
５１  バックライト
５２  左側バックライト
５３  中央バックライト
５４  右側バックライト
５５〜５７  導光板
６０、１０２  撮像部
７０  記憶部
８０、８０ａ、１０５  制御部
１０３  第１の光源
１０４  第２の光源
５０１〜５０５  発光ダイオード（ＬＥＤ）
６０１  左側領域
６０２  右側領域
６０３  中央領域
【図１】
2013247668.tif 000003
【図２】
2013247668.tif 000004
【図３】
2013247668.tif 000005
【図４】
2013247668.tif 000006
【図５】
2013247668.tif 000007
【図６】
2013247668.tif 000008
【図７】
2013247668.tif 000009
【図８】
2013247668.tif 000010